(57)【特許請求の範囲】
【請求項１】
光源と、
この光源を収納し、前面に開口部が形成されたケースと、
前記開口部を覆い、乳白色で透光性を有し、前記ケースの厚さよりも厚く前記前面から突出して前記前面と段差部を形成するカバーと、
を備えたことを特徴とする照明器具。
【請求項２】
ケースとカバーとを一体化したことを特徴とする請求項１のいずれかに記載の照明器具。
【請求項３】
光源の出射方向に反射材を配設したことを特徴とする請求項１乃至請求項２のいずれかに記載の照明器具。
【請求項４】
可動式の反射材を配設したことを特徴とする請求項３の照明器具。
【請求項５】
ケースに光源の出射方向に反射面を形成したことを特徴とする請求項１乃至請求項２のいずれかに記載の照明器具。
【請求項６】
光源はＬＥＤを使用することを特徴とする請求項１乃至請求項５のいずれかに記載の照明器具。
【請求項７】
請求項１乃至請求項６のいずれかに記載の照明器具に装着され、前記照明器具の前方を照らす光の出射面が露出する埋め込み部材と、を備えたことを特徴とする照明システム。
【請求項８】
埋込み部材に段差部と嵌合する第２の段差部を設けたことを特徴とするの請求項７に記載の照明システム。
【請求項９】
光源とケースとカバーの厚さの和が埋め込み部材の厚さ以下であることを特徴とする請求項７乃至請求項８のいずれかに記載の照明システム。
【発明の詳細な説明】
【０００１】
【発明の属する技術分野】
この発明は、被照射箇所の近傍に取り付けられて使用される照明器具に関し、特に壁面、幅木、階段のステップなどに取り付けられ足元周辺を照明する照明器具及び照明システムに関する。
【０００２】
【従来の技術】
図１３は、例えば特開平１１−６６９３８号公報の示された従来の足元照明システムの照明器具を示す分解斜視図であり、階段や廊下の足元を照明するものである。図において、３１は光源ユニット、３２は光源内蔵部、３３はカバー体、３は電源を光源２に供給する配線、３４は配線スペース３５を備えた見切り縁部材であり、光源ユニット３１が取り付けられている。
【０００３】
光源ユニット３１の光源内蔵部３２は示したように、開口部３２ａに長手方向に沿ってＬＥＤなどの光源２が複数個線状に配設され、線光源のように光を放射し、カバー体３３は、たとえば乳白色のアクリル製となっており、光源２からの光を均一化させている。そして、光源ユニット３１は見切り縁部材３４または階段側版部材の開口部に嵌め込まれて取り付けられ、光源ユニット３１のカバー体３３を透過した光源２からの均一化された帯状放射光によって足元が照明される。
【０００４】
また、図１４は光源内蔵部３２を拡大した斜視図であり、光源内蔵部３２は出射方向に対し光源２、光源２のリード部３９と端子３７を封止した封止材３８が配設されている。
【０００５】
【発明が解決しようとする課題】
上記のような従来の照明器具では、照明器具の厚さは幅木等の埋込み部材の厚さより厚くなり、前記照明器具を取り付ける際、壁面に穴を開ける必要があり施工性が悪いという問題があった。また、光源の照射方向が前面で、且つ、線状の光なので均一性が不十分という問題があった。また、上記の問題により幅木等の埋込み部材と照明器具を一体化できないので別々に施工する必要があり施工性が悪いという問題があった。
【０００６】
この発明は上記のような問題点を解消するためになされたもので、施工性が良く、また、光の均一性がある照明器具及び照明システムを得ることを目的とする。
【０００８】
【課題を解決するための手段】
この発明に係る照明器具は、指向性のある光を発する光源と、この光源を収納し、前面に開口部が形成されたケースと、前記開口部を覆い、乳白色で透光性を有し、前記ケースの厚さよりも厚く前記前面から突出して前記前面と段差部を形成するカバーと、を備えたものである。
【０００９】
また、ケースとカバーとを一体化したものである。
【００１０】
また、光源の出射方向に反射材を配設したものである。
【００１１】
また、可動式の反射材を配設したものである。
【００１２】
また、ケースの光源の出射方向に反射面を形成したものである。
【００１３】
また、光源と、この光源の出射方向に配設された導光材とを備え、前記光源の長手方向と平行に前記導光材の出射面を設け、幅木等に埋め込んで使用されるものである。
【００１４】
また、光源はＬＥＤを使用するものである。
【００１５】
また、幅木等の埋込み部材の裏面より出ないように照明器具を埋設し、且つ、幅木等の埋込み部材の前面より照明器具の出射面部を突出させたものである。
【００１６】
また、幅木等の埋込み部材の裏面より出ないように照明器具を埋設し、且つ、幅木等の埋込み部材の前面と照明器具の出射面を同一にさせたものである。
【００１７】
また、幅木等の埋込み部材の裏面より出ないように照明器具を埋設し、且つ、幅木等の埋込み部材の前面より照明器具の出射面を隠蔽させたものである。
【００１８】
また、幅木等の埋込み部材に段差を設けたものである。
【００１９】
また、照明器具が装着される幅木等の埋込み部材の開口断面部をフラットにし、且つ、そこに照明器具を装着させたものである。
【００２０】
【発明の実施の形態】
実施の形態１．
図１はこの発明の実施の形態１を示す照明器具の斜視図、図２は図１の分解斜視図、図３〜５は照明器具の使用例である。
図１、２において、１０はこの発明に係わる照明器具であり、この照明器具１０において、１は透光性を有するカバーあり、たとえば乳白色のプラスチック製となっており、３は電源を光源２に供給する配線、４は電源と前記照明器具１０又は前記照明器具１０同士を接続する接続部である。また、１０ｄはカバー１とケース５との段差部である。また、段差部１０ｄはカバー１またはケース５にあってもよい。また、接続部４はリード線付きのコネクタ、または、直結式のコネクタでもよい。
【００２１】
５は光源２及び配線３を収納するケースであり、カバー１は前記ケース５に形成された開口部５ａを覆っており、且つ、前記光源２の長手方向と平行になるように出射面１ａが設けられている。なお、光源２は主に汎用のＬＥＤが使用される。また、図２では光源２が１個設けられているが複数個使用してもよい。
【００２２】
この構成において、照明器具１０の厚さはカバー１の厚さ約２ミリ、光源２の幅約５ミリ、ケース５の厚さ約１ミリの合計８ミリ程度となり、幅木等の厚さ１４ミリ以下となる。
【００２３】
図３は照明器具１０を建物内部の幅木内に埋設した場合を示す斜視図である。図において１１は幅木等の埋込み部材であり、照明器具１０のカバー１が露出する開口部１１ｅが設けられ、且つ、断面がコの字形状とし前記照明器具１０及び電源等の配線１３等のスペースが設けられ、且つ、前記照明器具１０の段差部１０ｄと勘合する段差部１１ｄが設けられている。照明器具１０は接続部４により複数個接続されて幅木等の埋込み部材１１のスペースに装着され、前記幅木等の埋込み部材１１は前記照明器具１０を覆って壁面１２に両面接着テープ等で取り付けられ足元が照明される。
【００２４】
図４は照明器具１０を階段１５の囲み板１４に取り付けた場合、図５は照明器具１０を玄関の上がり框１６に取り付けた場合を示す。図４、５では幅木等の埋込み部材１１により照明器具１０を取り付けた図になっているが、囲み板１４、上がり框１６に直接埋め込んでもよい。
【００２５】
以上のように、汎用の光源２で、かつ、照明器具１０を取り付ける際、壁面１２等に穴を開けなくてすみ施工性を良くすることができる。また、幅木等の埋込み部材１１の段差部１１ｄにより照明器具１０が前方に抜けずにすむので特に前記照明器具１０を固定せずにすみ、施工性を良くすることができる。
【００２６】
実施の形態２．
図６はこの発明の実施の形態２を示す照明器具の断面図である。
図６において、実施の形態１の図１、２と同一または同等の部分には同じ符号を付し説明を省略する。
図６において、６は光源２の出射方向に、且つ、ケース５内に配設された反射材である。また、図６では指向性のあるＬＥＤになっており、光源２の光軸上に反射材６を配設しているが、指向性の無い光源の場合は出射面１ａに光源２の光を導くように反射材６を配設されている。また、反射材６は固定式でも可動式でもよい。
【００２７】
この構成において、光源２より出る光は反射材６に反射し、出射面１ａより出射される。
【００２８】
以上のように、均一に、且つ、効率良く照明するこができる。
また、反射材６が可動式の場合、光が必要な方向に照明することができる。
【００２９】
実施の形態３．
図７はこの発明の実施の形態３を示す照明器具の断面図である。
図７において、実施の形態１の図１、２と同一または同等の部分には同じ符号を付し説明を省略する。
図７において、反射面５ｆはケース５に光源２の出射方向に反射面となるように形成され、かつ、前記反射面５ｆには塗装または高反射シート等の反射材を付加したものである。
【００３０】
この構成において、光源２より出る光は塗装または高反射シート等の反射材を付加した反射面５ｆに反射し、照射面１ａより出射される。
【００３１】
以上のように、均一に、且つ、効率良く照明するこができる。
【００３２】
実施の形態４．
図８はこの発明の実施の形態４を示す照明器具の断面図である。
図８において、実施の形態１の図１、２と同一または同等の部分には同じ符号を付し説明を省略する。
図８において、７は光源２の出射方向に配設された導光材であり、出射面７ａ及び背面７ｂは前記光源２の光軸と同一方向にあり、入射面７ｃは前記光源２の光軸と垂直になる方向にある。なお、図８で粗面８は出射面７ａに対向する背面７ｂに設けているが、前記出射面７ａ、または、前記背面７ｂの少なくてもいずれか一方にあればよい。また、入射面７ｃと出射面７ａ以外を高反射シート等の反射材９で覆ってもよい。
【００３３】
この構成において、光源２より出る光は導光部材７の入射面７ｃから前記導光部材７内に入射し、入射した光は出射面７ａと粗面８の間を散乱反射しながら進んでいく。このとき、出射面７ａで全反射し、次に粗面８で散乱反射し、前記出射面７ａに対し全反射の臨界角より小さな角度で反射された光が前記出射面７ａから出射する。
【００３４】
以上のように、導光材７により出射される光は全体に均一化され良好な照明をするこができる。また、高反射シート等の反射材９で覆うことにより光効率を良くすることができる。
【００３５】
実施の形態５．
図９はこの発明の実施の形態５を示す照明システムの断面図である。
図９において、実施の形態１の図１〜３と同一または同等の部分には同じ符号を付し説明を省略する。
図９において、１０ｂは照明器具１０の背面、１１ａは幅木等の埋込み部材１１の前面、１１ｂは幅木等の埋込み部材１１の背面である。
【００３６】
この構成において、照明器具１０の背面１０ｂが幅木等の埋込み部材１１の背面１１ｂより出っ張ることなく、且つ、前記照明器具１０の段差部１０ｄと前記幅木等の埋込み部材１１の段差部１１ｄとが勘合し、且つ、カバー１の出射面１ａが前記幅木等の埋込み部材１１の前面１１ａより突出するように、断面がコの字状の前記幅木等の埋込み部材１１に前記照明器具１０が組み込まれる。また、照明器具１０が複数な場合は前記照明器具１０間の配線を施している。
【００３７】
以上のように、壁面１２等に照明器具１０埋込用の穴を開けずにすみ、且つ、工事現場で前記照明器具１０を幅木等の埋込み部材１１に装着することが無くなるので、施工性のよい照明システムを提供できる。また、照明器具１０を特別な取付具を使用せずに幅木等の埋込み部材１１に装着できるので製造コストを低減できる。また、出射面１ａが幅木等の埋込み部材１１の前面１１ａより突出するので、より広範囲に照明するこができる。
【００３８】
実施の形態６．
図１０はこの発明の実施の形態６を示す照明システムの断面図である。
図１０において、実施の形態１の図１〜３と同一または同等の部分には同じ符号を付し説明を省略する。
図１０において、１０ｂは照明器具１０の背面、１１ａは幅木等の埋込み部材１１の前面、１１ｂは幅木等の埋込み部材１１の背面である。
【００３９】
この構成において、照明器具１０の背面１０ｂが幅木等の埋込み部材１１の背面１１ｂより出っ張ることなく、且つ、前記照明器具１０の段差部１０ｄと前記幅木等の埋込み部材１１の段差部１１ｄとが勘合し、且つ、カバー１の出射面１ａと前記幅木等の埋込み部材１１の前面１１ａが同一になるように、断面がコの字状の前記幅木等の埋込み部材１１に前記照明器具１０が組み込まれる。また、照明器具１０が複数な場合は前記照明器具１０間の配線を施している。
【００４０】
以上のように、壁面１２等に照明器具１０埋込用の穴を開けずにすみ、且つ、工事現場で前記照明器具１０を幅木等の埋込み部材１１に装着することが無くなるので施工性のよい照明システムを提供できる。また、照明器具１０を特別な取付具を使用せずに幅木等の埋込み部材１１に装着できるので製造コストを低減できる。また、前面がフラットな面となるので外観が良くなり、また、通行者または清掃作業者等によりカバー１を損傷することを抑制できる。
【００４１】
実施の形態７．
図１１はこの発明の実施の形態７を示す照明システムの断面図である。
図１１において、実施の形態１の図１〜３と同一または同等の部分には同じ符号を付し説明を省略する。
図１１において、１０ｂは照明器具１０の背面、１１ａは幅木等の埋込み部材１１の前面、１１ｂは幅木等の埋込み部材１１の背面である。
【００４２】
この構成において、照明器具１０の背面１０ｂが幅木等の埋込み部材１１の背面１１ｂより出っ張ることなく、且つ、前記照明器具１０の段差部１０ｄと前記幅木等の埋込み部材１１の段差部１１ｄとが勘合し、且つ、カバー１の出射面１ａが前記幅木等の埋込み部材１１の前面１１ａより引っ込むように、断面がコの字状の前記幅木等の埋込み部材１１に前記照明器具１０が組み込まれる。また、照明器具１０が複数な場合は前記照明器具１０間の配線を施している。
【００４３】
以上のように、壁面１２等に照明器具１０埋込用の穴を開けずにすみ、且つ、工事現場で前記照明器具１０を幅木等の埋込み部材１１に装着することが無くなるので施工性のよい照明システムを提供できる。また、照明器具１０を特別な取付具を使用せずに幅木等の埋込み部材１１に装着できるので製造コストを低減できる。また、カバー１が幅木等の埋込み部材１１より引っ込むので通行者または清掃作業者等によりカバー１を損傷することを抑制できる。
【００４４】
実施の形態８．
図１２はこの発明の実施の形態７を示す照明システムの断面図である。
図１２において、実施の形態１の図１〜３と同一または同等の部分には同じ符号を付し説明を省略する。
【００４５】
この構成において、照明器具１０の背面１０ｂが幅木等の埋込み部材１１の背面１１ｂより出っ張ることなく、且つ、幅木等の埋込み部材１１の開口部１１ａの断面がフラットな形状であり、且つ、断面がコの字状の前記幅木等の埋込み部材１１に前記照明器具１０が組み込まれる。また、照明器具１０が複数な場合は前記照明器具１０間の配線を施している。
【００４６】
以上のように、照明器具１０が幅木等の埋込み部材１１の前面からでも装着出来る構造なので、前記照明器具１０を交換する場合、前記幅木等の埋込み部材１１をとる必要が無くなり、交換工事での施工性が良くなる。
【００４８】
【発明の効果】
カバーをケースの前面から突出して設けて前面と段差を形成して、さらにカバーの厚さをケースの厚さよりも厚くすることで、カバーを透過する光の透過距離が長くなり光がより均一化されて、さらに段差部からも光が漏れるのでケースの前面と照明器具の前方を広範囲に均一化された光で照らすことができる。
【００４９】
また、ケースとカバーを一体化することで製造コストを低減でき、且つ、施工時の取り扱いが容易となる。
【００５０】
また、反射板を設けたので、より均一性が良く、また、効率の良い照明ができる。
【００５１】
また、可動式の反射板を設けたので、自由に照射面を変えることができる。
【００５２】
また、塗装または高反射材を付加した面を設けたので、より均一性が良く、また、効率の良い照明ができる。
【００５３】
また、導光材を用いたので、より均一な照明ができる。
【００５４】
また、光源はＬＥＤを使用するので、よりコンパクトにでき、また、消費電力を少なくすることができる。
【００５５】
また、照明器具を幅木等の埋込み部材と一体化し、且つ、幅木等の埋込み部材よりカバーを突出した構造の照明システムにしたので、壁面等に照明器具埋込用の穴を開けずにすみ、且つ、工事現場で照明器具を幅木等の埋込み部材に装着することが無くなるので、施工性が良くなり、また、より広範囲な照明ができる。
【００５６】
また、照明器具を幅木等の埋込み部材と一体化し、且つ、幅木の埋込み部材とカバーをフラットにした構造の照明システムにしたので、壁面等に照明器具埋込用の穴を開けずにすみ、且つ、工事現場で照明器具を幅木等の埋込み部材に装着することが無くなるので、施工性が良くなり、また、外観を良くすることができ、また、通行者または清掃作業者等によりカバーを損傷することを抑制できる。
【００５７】
また、照明器具を幅木等の埋込み部材と一体化し、且つ、カバーを幅木等の埋込み部材より引っ込めた構造の照明システムにしたので、壁面等に照明器具埋込用の穴を開けずにすみ、且つ、工事現場で照明器具を幅木等の埋込み部材に装着することが無くなるので、施工性が良くなり、また、通行者または清掃作業者等によりカバーを損傷することを抑制できる。
【００５８】
照明器具がより確実に装着されるように段差部を設けた照明システムにしたので、照明器具を固定する取付具が不要にすることができるので、製造コストが低減できる。
【００５９】
また、幅木等の埋込み部材の開口部の断面がフラットな形状にし、照明器具が幅木等の埋込み部材の前面からでも装着出来る構造の照明システムにしたので、照明器具交換工事の時に幅木等の埋込み部材を剥す必要が無くなる等、施工性を良くすることができる。
【図面の簡単な説明】
【図１】  この発明の実施の形態１を示す照明器具の斜視図である。
【図２】  この発明の実施の形態１を示す照明器具の分解斜視図である。
【図３】  この発明の実施の形態１の照明器具の使用例を示す斜視図である。
【図４】  この発明の実施の形態１の照明器具の使用例を示す斜視図である。
【図５】  この発明の実施の形態１の照明器具の使用例を示す斜視図である。
【図６】  この発明の実施の形態２を示す照明器具の断面図である。
【図７】  この発明の実施の形態３を示す照明器具の断面図である。
【図８】  この発明の実施の形態４を示す照明器具の断面図である。
【図９】  この発明の実施の形態５を示す照明器具の断面図である。
【図１０】  この発明の実施の形態６を示す照明システムの断面図である。
【図１１】  この発明の実施の形態７を示す照明システムの断面図である。
【図１２】  この発明の実施の形態８を示す照明システムの断面図である。
【図１３】  従来の照明器具の分解斜視図であるである。
【図１４】  図１３における光源内蔵部を拡大した斜視図であるである。
【符号の説明】
１  カバー  、  ２  光源、    ３  配線、    ４  接続部、  ５  ケース、  ６  反射材、  ７  導光材、  ８  粗面、  ９  反射材、  １０  照明器具  、１１  幅木等の埋込み部材、  １ａ  ７ａ  出射面、  ７ｂ  １０ｂ  １１ｂ背面、  ７ｃ  入射面、  １０ｄ  １１ｄ  段差部、  １１ｅ  開口部、  ５ｆ  反射面。
【図１】
0004489260.tif 000002
【図２】
0004489260.tif 000003
【図３】
0004489260.tif 000004
【図４】
0004489260.tif 000005
【図５】
0004489260.tif 000006
【図６】
0004489260.tif 000007
【図７】
0004489260.tif 000008
【図８】
0004489260.tif 000009
【図９】
0004489260.tif 000010
【図１０】
0004489260.tif 000011
【図１１】
0004489260.tif 000012
【図１２】
0004489260.tif 000013
【図１３】
0004489260.tif 000014
【図１４】
0004489260.tif 000015